(57)【特許請求の範囲】
【請求項１】
組立作業台上で所定経路に沿って布線されるワイヤハーネスの外周所定位置にクランプを取り付けるためのクランプ取付治具であって、
上記クランプ取付治具は、組立作業台上に立設される支軸の上部に、ワイヤハーネスを保持するための受け部を備えたワイヤハーネス保持具と、該ワイヤハーネス保持具に一体的に取り付けられたクランプ保持具とからなり、
上記クランプ保持具は、上記支軸に対し一端を水平方向に回動可能に取り付けると共に、他端を所定寸法水平方向に延出して上方に立ち上げた回動アームと、該回動アームの立ち上げ端部に取り付けられ、上記クランプを着脱可能に保持するクランプ受け部とを備え、
上記支持具を支点とする回動アームの回動によりクランプ受け部をクランプの取付位置と退避位置との間で移動可能としていることを特徴とするクランプ取付治具。
【請求項２】
上記クランプ受け部は、下面側をクランプの保持面としてクランプをワイヤハーネスの外周上面に位置決めする構成とする一方、上記回動アームを上記支軸に対し上下方向に移動可能とし、回動アームの下降位置をワイヤハーネス外周へのクランプの取付高さ位置に対応させると共に、回動アームの上昇位置をワイヤハーネスに取り付けられたクランプの離脱位置に対応させている請求項１に記載のクランプ取付治具。
【発明の詳細な説明】
【０００１】
【発明の属する技術分野】
本発明は、ワイヤハーネス外周へクランプを位置決めして取り付けるためのクランプ取付治具に関し、詳しくは、クランプ取付後にクランプ保持具を他の作業の邪魔にならないように退避可能とするものである。
【０００２】
【従来の技術】
図１０は、ワイヤハーネスＷ／Ｈの組立作業台１上で、分岐部２を組み立てるに際し、所定位置に立設された電線保持具３に沿って布線されたワイヤハーネスＷ／Ｈの外周所定位置に、車体係止用のクランプ４を取り付ける状態を示している。クランプ４は車体の取付孔のピッチに正確に合致させなければならないため、クランプ４は、組立作業台１上に立設されたクランプ保持具５に保持させることでワイヤハーネスＷ／Ｈへの位置決めがなされる。
【０００３】
上記クランプ保持具５として一般的に使用されるものは、組立作業台１上に固定された基部５ａに下端を回動可能に取り付けることで起伏可能な支柱５ｂと、該支柱５ｂの上端に取り付けられ、クランプ４を着脱可能に嵌合保持するクランプ受け部５ｃとから構成されている。そして、クランプ４の取り付けに際しては、クランプ保持具５を起立させることでワイヤハーネスＷ／Ｈの外周所定位置に位置決めし、クランプ４をワイヤハーネスＷ／Ｈに固定した後は、クランプ保持具５を倒することで、その他の組立作業およびワイヤハーネスＷ／Ｈの取り外し時にクランプ保持具５が邪魔にならないようにしている。
【０００４】
【発明が解決しようとする課題】
しかしながら、上記倒伏式のクランプ保持具５では、図１０に示すように、分岐部２が密集しているために、クランプ保持具５を倒そうとすると、隣の分岐線２ａに干渉するような状況においては、クランプ保持具５を退避することができない。よって、ワイヤハーネスＷ／Ｈへのクランプ４の取り付け後における他の組立作業、およびワイヤハーネスＷ／Ｈの取り外し操作に支障をきたし、このため、干渉する分岐線２ａを電線保持具３から取り外した後にクランプ保持具５を倒さなければならず、作業性に問題があった。
【０００５】
本発明は上記した問題に鑑みてなされたもので、分岐部が密集している場合においても、クランプ保持具を他の分岐線に干渉することなく退避可能とすることを課題としている。
【０００６】
【課題を解決するための手段】
上記課題を解決するため、本発明は、請求項１で、組立作業台上で所定経路に沿って布線されるワイヤハーネスの外周所定位置にクランプを取り付けるためのクランプ取付治具であって、
上記クランプ取付治具は、組立作業台上に立設される支軸の上部に、ワイヤハーネスを保持するための受け部を備えたワイヤハーネス保持具と、該ワイヤハーネス保持具に一体的に取り付けられたクランプ保持具とからなり、
上記クランプ保持具は、上記支軸に対し一端を水平方向に回動可能に取り付けると共に、他端を所定寸法水平方向に延出して上方に立ち上げた回動アームと、該回動アームの立ち上げ端部に取り付けられ、上記クランプを着脱可能に保持するクランプ受け部とを備え、
上記支持具を支点とする回動アームの回動によりクランプ受け部をクランプの取付位置と退避位置との間で移動可能としていることを特徴とするクランプ取付治具を提供している。
【０００７】
具体的には、上記ワイヤハーネス保持具としては、ワイヤハーネスの端末において電線束を支持するため使用されるＵ字状の電線受け部を備えた電線支持具、もしくは端末においてコネクタを嵌合支持する箱状のコネクタ受け部を備えたコネクタ支持具が利用される。そして、クランプ保持具は、上記端末に使用されるワイヤハーネス保持具を中心として水平方向に回動させることで、クランプ受け部をワイヤハーネスへの取付位置と退避位置との間で移動可能としている。
【０００８】
上記構成によれば、分岐部におけるワイヤハーネスの端末にクランプ取付治具を用いることで、ワイヤハーネス保持具による端末の保持と、クランプ保持具によるクランプの保持とをひとつの取付治具で兼用することができる。ワイヤハーネス外周へのクランプの取付に際しては、回動アームをワイヤハーネス側へ回動操作するのみで、所定の取付位置へクランプを位置決めすることができる。一方、クランプの取付後には、上記と反対方向へ回動アームを回動操作することで、クランプ受け部を他の作業またはワイヤハーネスの取り外しに支障のない退避位置へ簡単に退避させることができる。その際、クランプ受け部の退避軌道は、直接隣接する分岐線の方向へ向かうのではなく、端末方向への回動軌道に沿って退避するため、密集した分岐部においても倒伏式のクランプ治具に比し、隣接する分岐線との干渉を回避することができる。
【０００９】
請求項２では、上記クランプ受け部は、下面側をクランプの保持面としてクランプをワイヤハーネスの外周上面に位置決めする構成とする一方、上記回動アームを上記支軸に対し上下方向に移動可能とし、回動アームの下降位置をワイヤハーネス外周へのクランプの取付高さ位置に対応させると共に、回動アームの上昇位置をワイヤハーネスに取り付けられたクランプの離脱位置に対応させている。
【００１０】
上記構成とすると、特にワイヤハーネスの外周上面をクランプの取付位置とした場合、ワイヤハーネスへのクランプの固定後、クランプ受け部を退避するに際し、回動アームを上方へ引き上げるようにすることで、クランプ受け部を上昇連動させてクランプを容易に離脱することができる。そして、引き続き回動アームを回動操作するのみで、クランプ受け部を退避位置へ移動させることができる。
【００１１】
【発明の実施の形態】
以下、本発明の実施形態を図面を参照して説明する。
図１乃至図６はクランプ取付治具の第１実施形態を示し、該クランプ取付治具１０は、ワイヤハーネスＷ／Ｈの組立作業台１１上の所定位置に立設されるワイヤハーネス保持具１２と、該ワイヤハーネス保持具１２に一体的に取り付けられるクランプ保持具１３とからなっている。
【００１２】
上記ワイヤハーネス保持具１２は、本実施形態では布線経路の各部および端末部に使用され、電線を保持するためのＵ字状の受け部１２ａと、該受け部１２ａを上部に固定すると共に、組立作業台１１上に立設される支軸１２ｂとからなっている。
【００１３】
上記クランプ保持具１３は、支軸１２ｂの下方位置に水平方向に回動可能に取り付けられるリング部１４ａを一端に備え、他端方を所定寸法水平方向に延出すると共に、端部を上方に立ち上げたＬ字状の回動アーム１４と、該回動アーム１４の立ち上げ端部に取り付けられるクランプ受け部１５とを備えている。該クランプ受け部１５は、クランプ４の上面に突設された係止部４ａを着脱可能に嵌合する係合部１５ａを下面に備え、クランプ４を取付姿勢で保持可能としている。上記支軸１２ｂにはリング部１４ａの回動位置を定めるために、該リング部１４ａを上下方向から挟持する一対のストッパー１２ｃ、１２ｄを固定している。なお、リング部１４ａの取付に際しては、図２に示すように、上記ストッパー１２ｃ、１２ｄの間にリング部１４ａを無理入れ状態で嵌合するか、若しくはリング部１４ａを支軸１２ｂの下端から挿通した後に、下側のストッパー１２ｄを固定して位置決めするようにしている。
【００１４】
上記クランプ受け部１５は、保持するクランプ４がワイヤハーネス保持具１２の受け部１２ａに保持されたワイヤハーネスＷ／Ｈの外周上面に対応する高さ位置となるように回動アーム１４の高さ寸法を設定している。一方、クランプ４の所定の取付位置に対応して、受け部１２ａからクランプ受け部１５までの寸法を合致すべく回動アーム１４の水平方向の延出寸法を設定している。
【００１５】
上記構成からなるクランプ取付治具１０を用いてワイヤハーネスＷ／Ｈの所定位置にクランプ４を取り付けるには、先ず図３に示すように、クランプ受け部１５を布線経路から退避させた位置でクランプ４を係合部１５ａに嵌合保持する。次いで、ワイヤハーネスＷ／Ｈの端末にテープ巻き等の所定の加工を施した後、図４に示すように、回動アーム１４を回動操作して、クランプ受け部１５に保持したクランプ４をワイヤハーネスＷ／Ｈの外周上面の所定位置に位置決めする。この状態でクランプ４をワイヤハーネスＷ／Ｈの外周にテープ止めして固定した後、図５に示すように、クランプ４をクランプ受け部１５から外すと同時に、回動アーム１４を逆方向に回動操作することで、クランプ受け部１５を初期の退避位置へ移動させる。次いで、必要に応じてワイヤハーネスＷ／Ｈの端末部へ追加加工を施し、その後、ワイヤハーネスＷ／Ｈを上方へ引き上げることにより組み立てられたワイヤハーネスＷ／Ｈの取り外しを行う。その際、クランプ受け部１５は、退避位置にあるため、取り外しに支障をきたすことがない。
【００１６】
上記のようにクランプ受け部１５は、回動アーム１４の回動操作により、取付位置と退避位置との間で水平方向に移動させるようにしているため、図６に示すように、分岐部２において、分岐線２ａ、２ｂ、２ｃが密集する部位での使用に際し、隣接する分岐線２ａに干渉するのを防止できる。即ち、端末のワイヤハーネス保持具１２を回動基点とするクランプ受け部１５の退避軌道は、各分岐線２ａ、２ｂ、２ｃの端末へ至るに従い広がり状となる形態に対応しており、クランプ受け部１５の分岐線２ａとの干渉防止に有利となる。
【００１７】
なお、上記第１実施形態では、クランプ４をワイヤハーネスＷ／Ｈの外周上面に取り付ける態様を示したが、側面または下面に取り付ける場合は、回動アーム１４に対するクランプ受け部１５の係合部１５ａの位置を側面または上面に設定すればよい。
【００１８】
図７はクランプ取付治具の第２実施形態を示し、クランプ４をワイヤハーネスＷ／Ｈの上面側に取り付ける場合において、クランプ４固定後のクランプ受け部１５からの取り外しを容易に行い得るようにしたものである。第２実施形態では、回動アーム２４を支軸２２ｂに対し、上下方向に移動可能としたものであり、上側のストッパー２２ｄを所定寸法上方へずらすことで回動アーム２４の上方への移動スペースを確保している。そして、下側のストッパー２２ｃで位置規制される回動アーム２４の下降位置を、ワイヤハーネスＷ／Ｈ外周へのクランプ４の取付高さ位置に対応させると共に、上側のストッパー２２ｄで位置規制される回動アーム２４の上昇位置をクランプ４の離脱可能な位置としている。なお、その他の構成は第１実施形態と同様のため説明を省略する。
【００１９】
上記構成によれば、ワイヤハーネスＷ／Ｈの外周上面にクランプ４を位置決めして固定した後、クランプ受け部１５を退避させる際に、回動アーム２４を上方に持ち上げることで、係合部１５ａに係合したクランプ４のクリップ部４ａを容易に離脱することができる。その後は、回動アーム２４を回動操作するのみで、クランプ受け部１５を容易に退避位置へ移動させることができる。
【００２０】
上記各実施形態においては、ワイヤハーネス保持具１２として電線を保持するＵ字状の電線保持具を図示したが、図８に示すように、電線端末のコネクタＣを嵌合保持するために、コネクタＣの外形形状に合致する凹部を有するコネクタ保持具をワイヤハーネス保持具３２としてもよい。
【００２１】
また、クランプ取付治具１０は、図９に示すように、ワイヤハーネス保持具１２を分岐部２での電線保持用として使用し、該分岐部２をクランプ受け部１５の回動支点とすることもできる。
【００２２】
【発明の効果】
以上の説明より明きらかなように、本発明に係わるクランプ取付治具では、分岐線が密集する分岐部においても、クランプ取付後に回動アームを回動操作するのみで、クランプ受け部を分岐線に干渉することなく退避させることができ、作業性を向上することができる。また、クランプ受け部は回動アームを介して、ワイヤハーネス保持具の支軸に一体化されているため、ワイヤハーネスの組立作業台への立設作業を軽減することができると共に、支軸を基点とするクランプ取付位置の精度を向上することができる。
【図面の簡単な説明】
【図１】本発明の第１実施形態のクランプ取付治具の斜視図である。
【図２】支軸への回動アームの取付状態を示す図である。
【図３】クランプ取付前の状態を示す斜視図である。
【図４】クランプの位置決め状態を示す斜視図である。
【図５】クランプ取付後のクランプ保持具の退避状態を示す斜視図である。
【図６】分岐部へのクランプの取付状態を示す平面図である。
【図７】第２実施形態における支軸への回動アームの取付状態を示す図である。
【図８】ワイヤハーネス保持具をコネクタ保持具とした状態を示す斜視図である。
【図９】他の使用状態を示す斜視図である。
【図１０】従来例を示す図である。
【符号の説明】
Ｗ／Ｈ  ワイヤハーネス
２  分岐部
２ａ  分岐線
４  クランプ
１０、２０  クランプ取付治具
１１  組立作業台
１２、２２、３２  ワイヤハーネス保持具
１２ａ  受け部
１２ｂ  支軸
１３  クランプ保持具
１４、２４  回動アーム
１５  クランプ受け部
【図１】
0003580151.tif 000002
【図２】
0003580151.tif 000003
【図３】
0003580151.tif 000004
【図４】
0003580151.tif 000005
【図５】
0003580151.tif 000006
【図６】
0003580151.tif 000007
【図７】
0003580151.tif 000008
【図８】
0003580151.tif 000009
【図９】
0003580151.tif 000010
【図１０】
0003580151.tif 000011